(57)【要約】【課題】基台フレーム、フレームの上部に配置して花茎上部の公転を規制する挿入部、フレームの下部に配置し花茎下部の保持手段を備えた回転盤、回転盤の下面に垂直方向に突出させた軸体を自転可能に支持する支持部とからなる花束ネジリ結束装置において、デッドスペースを設けることなく、花茎上部の公転の規制と結束した花束の取り出しとが行えるようにすること【解決手段】挿入部を中心部に設けた穴から半径方向に多数の切欠き凹部を形成したドーナツ板で形成し、板体の一部を分割させて形成した分割片を開閉又は取外し可能とする【選択図】図１
2008029217.tif 000002
【特許請求の範囲】
【請求項１】
基台フレーム、フレームの上部に配置して花茎上部の公転を規制する挿入部、フレームの下部に配置し花茎下部の保持手段を備えた回転盤、回転盤の下面に垂直方向に突出させた軸体を自転可能に支持する支持部とからなる花束ネジリ結束装置において、中心部に設けた穴から半径方向に多数の切欠き凹部を形成したドーナツ板で挿入部を形成し、板体の一部を分割させて形成した分割片を開閉又は取外し可能とした花束ネジリ結束装置。
【請求項２】
板体の切欠き凹部が長尺凹部と短尺凹部とを交互に配置した請求項１に記載の花束ネジリ結束装置。
【請求項３】
分割片がドーナツ板本体又は基台フレームに枢着又は支持させてある請求項１又は２に記載の花束ネジリ結束装置。
【発明の詳細な説明】
【技術分野】
【０００１】
本発明は、基台フレーム、フレームの上部に配置して花茎上部の公転を規制する挿入部、フレームの下部に配置し花茎下部の保持手段を備えた回転盤、回転盤の下面に垂直方向に突出させた軸体を自転可能に支持する支持部とからなる花束ネジリ結束装置に関するものである。
【背景技術】
【０００２】
この種の花束ネジリ結束装置としては、特許文献１に開示のものが公知である。
この装置は、花の配置関係を勘案しつつ挿入部（上部格子）から花茎を挿入し、回転盤（下部格子）に備えられている、ブラシ、板バネ、切り目の入ったゴムシートなどからなる保持手段に花茎下部を保持させ、その状態で回転盤を水平方向に回転させると、花茎上部は挿入部でその公転が規制されるから、花茎にネジリが生じるようにしている。挿入部と回転盤との間で花茎全体にネジリが生じて花は横方向に広がった状態となり、その状態でネジリ部分を結束すると、花が広がった大振りの花束が形成されることになる。
【０００３】
上記文献に開示されている装置は、フレームの上部に配置した花茎上部の挿入部が、複数の相互に並行なバーを互いに交差するように配置して格子を形成するようにし、花束にネジリを発生させた後に、いずれか又は双方のバー群を後退させることによってバーの交差状態を解消し、花束を取り出せるようにしている。
【０００４】
しかし、この装置では、花茎上部の公転を規制する時にはバー群を前進させ、花束を取り出す時にはバー群を後退させるため、装置の上部側で格子を形成するスペースの他に、装置の奥（作業者とは反対側）にバーを後退させるためのスペースが必要となる。そのため、この装置を利用しようとすると、店内に大きなデットスペースが生まれてしまう不都合がある。
花屋の店内では、小さなスペースに多くの生花をストックしておかなければならない関係上、花束をつくるために大きなスペースを確保することは困難である。
【特許文献１】特表2005-508649 公報
【発明の開示】
【発明が解決しようとする課題】
【０００５】
本発明は、基台フレーム、フレームの上部に配置して花茎上部の公転を規制する挿入部、フレームの下部に配置し花茎下部の保持手段を備えた回転盤、回転盤の下面に垂直方向に突出させた軸体を自転可能に支持する支持部とからなる花束ネジリ結束装置において、デッドスペースを設けることなく、花茎上部の公転の規制と結束した花束の取り出しとが行えるようにすることを課題としたものである。
【課題を解決するための手段】
【０００６】
この技術的課題を解決するための技術的手段は、（イ）中心部に設けた穴から半径方向に多数の切欠き凹部を形成したドーナツ板で挿入部を形成し、（ロ）板体の一部を分割させて形成した分割片を開閉又は取外し可能としたこと、である。
第二の技術的手段は板体の切欠き凹部を長尺凹部と短尺凹部とを交互に配置したことであり、第三の技術的手段は分割片を板体本体又は基台フレームに枢着又は支持させたことである。
【０００７】
挿入部は、中心部に穴を設けた板体で形成されていて、半径方向に多数の切欠き凹部が形成されているから、これに挿入された花茎はその殆どが切欠き凹部内に臨み、中央に挿入された花茎は他の花茎に支えられることになる。この穴は花茎を挿入する際に、花の位置を変更したり、臨ませる切欠き凹部を変更したりする場合に移動経路としても使用することができる。
挿入された花茎の下部を回転盤で保持させた状態で回転盤を回転させると、中心部に位置する花茎は自転しその周囲の花茎上部は切欠き凹部縁に当接して公転しないため、花茎下部のみが回転して花束にネジリを生じさせる。
【０００８】
板体の一部は分割させられていて、その分割片は開閉又は取外し可能に構成されているから、ネジリが与えられた花束を結束した後、分割片を開いたり或いは取り外したりすると挿入部はドーナツ板の一部が開放された状態となる。
そこで、結束された花束を持ち上げると、結束部の上昇によって花茎が切欠き凹部から離れ、花茎が切欠き凹部から脱した段階でドーナツ板の開放部から花束を取り出すことができる。
したがって、この技術的手段に係る花束ネジリ結束装置では、花茎上部の公転の規制と結束した花束の取り出しにおいて、デッドスペースが生じることはない。
【０００９】
挿入部における切欠き凹部は、同じ長さの切欠き凹部で揃えるようにしても良いが、長尺凹部と短尺凹部とを交互に組み合わせて配置すると、花の配置に変化を持たせられる利点がある。
また、分割片をドーナツ板本体又は基台フレームに枢着又は支持させておくと、容易に開いたり取り外したりすることができるから、ネジリを与えた花束の取り出しも容易となる。
【発明の効果】
【００１０】
デッドスペースを設けることなく、花茎上部の公転の規制と結束した花束の取り出しが行える結果、狭い花屋の店内においても装置を使用できる利点がある。
また、本発明装置にはバー状のものが軸方向に前進後退することがないため、作業者は安全に花束のネジリ作業を行なえる利点もある。
【実施例】
【００１１】
図１は本発明装置１の平面図、図２はその正面概略図である。
この装置１は、方形の底台フレーム２の三箇所の隅部に縦フレーム３、３を直立させ、これらの上部にＬ字状のフレーム４を固定して基台フレーム５が構成してあり、図１の左下側が開放されていて、ここから花束の結束作業を行うようになっている。
【００１２】
基台フレーム５の上部には、固定片６、６を介して、図３に示した挿入部としての板体１１を固定させている。
この板体１１は、中央に穴１２を形成したドーナツ状の板であって、中心部から半径方向に切欠き凹部１３を形成している。この実施例では、アルミニウムからなる板体を使用し、凹部１３は長尺のものと短尺のものとを交互に配置させている。
板体１１はその一部が分割され，この分割片１５は、基端部を板体１１にビス１６で固定し、先端部には取り付けた摘部１７を用いて開閉を自在に行えるようにしてあり、図示しない係止具によって板体１１に係止させてドーナツ板を形成するようになっている。
【００１３】
基台フレーム５の中段位置には、図４に示した回転盤２１を配置している。
この実施例における回転盤２１は、透孔２２、２２を穿設した二枚の金属製の薄板の間にゴムシート２５を介在させてビス２３、２３で固定一体化させ、各透孔２２内でゴムシート２５に十字状のスリット２６を形成して、花茎Ｆの下部を差し入れた状態で保持できるようにしている。
【００１４】
回転盤２１の側壁には、筒体２８の内側にバネなどによって外方へ付勢させたた突子２９を挿入させた構成のストッパー２７が取り付けてあり、回転盤２１の回転中に、基台フレーム５に固定させた係合片６の凹部に突子２９が係合することによって、回転盤２１の回転を一旦停止させられるようになっている。
なお、符号３０は、回転盤２１を回転させるために用いるハンドルである。
【００１５】
回転盤２１の下面中央には、軸体３１が固定してあって、基台フレーム５の下部に取り付けた棚３５上に固定させた支持具３２に自転可能に支持されている。
軸体３１は支持具に取り付けたネジ３３を緩めることによって上下方向への移動が可能にしてあって、所望の位置に回転盤２１を位置させた状態でネジ３３を締めることによって回転盤２１の高さを固定できるようにしている。
【００１６】
図１は、花Ｆの花茎下部を回転盤の透孔２２内で保持させ、花茎上部を切欠き凹部１３内に位置させた状態を示していて、この状態から回転盤２１を回転させると板体１１と回転盤２１との間で花茎にネジリが発生し、その部分を結束することによって、花束の結束が完了する。
【図面の簡単な説明】
【００１７】
【図１】花束ネジリ結束装置の平面図
【図２】花束ネジリ結束装置の正面概略図
【図３】挿入部を構成する板体の平面図
【図４】回転盤の平面図
【符号の説明】
【００１８】
１花束ネジリ結束装置、２底台フレーム、  ３縦フレーム、  ４Ｌ字状のフレーム、  ５基台フレーム、  ６係合片、  11挿入部を構成する板体、  12板体中央の穴、  13切欠き凹部、  15分割片、  17摘部、  21回転盤、  22透孔、  23ビス、  25ゴムシート、  26スリット、  27ストッパー、  28筒体、  29突子、  30ハンドル、  31軸体、  32軸体の支持具、  33固定用のネジ、  35棚、  Ｆ花
【図１】
2008029217.tif 000003
【図２】
2008029217.tif 000004
【図３】
2008029217.tif 000005
【図４】
2008029217.tif 000006